(57)【要約】【課題】展開の際に波形断面を構成することにより，比較的軽量でありながらも剛性に優れ，特に大型倉庫や飛行機格納庫などの大型構造物の出入口を開閉するに適した半展開式折れ戸を提供する。【解決手段】所定の幅と長さを有する多数の扉パネルと，各扉パネルを，隣接する扉パネル同士が相対回転できるようにその幅方向に沿って連続的に連結し，各扉パネルがある一方の最末端扉パネルに対して順次重なって折り畳まれるようにするヒンジ手段と，扉パネルを展開したときに各扉パネルがジグザグ状の波形を成すよう，各扉パネルの広がり程度を所定の角度に制限する広がり限定手段とを備えることを特徴とする。【選択図】図１
2005048573.tif 000002
【特許請求の範囲】
【請求項１】
大型構造物の開口を開閉するのに使用するためのドアとなる半展開式折れ戸であって，
所定の幅と長さを有する多数の扉パネルと，
前記扉パネルを，隣接する扉パネル同士が相対回転できるように，前記扉パネルの幅方向に沿って連続的に連結するヒンジ手段と，
前記扉パネルを展開したときに，前記各扉パネルの広がり程度を所定の角度に制限する広がり限定手段と，
を備えることを特徴とする，半展開式折れ戸。
【請求項２】
前記広がり限定手段は，
前記扉パネルの一側端に設置されて前記ヒンジ手段のヒンジ軸が挿入され，下端にその中心を軸として所定の角度範囲の第１回転許容ノッチを有する第１ヒンジシリンダと，
前記扉パネルに連結される他の扉パネルの対応側端に設置されて前記ヒンジ軸が挿入され，上端にその中心を軸として前記第１回転許容ノッチと同一角度範囲の第２回転許容ノッチを有し，該第２回転許容ノッチが前記第１回転許容ノッチと一定の角度範囲のみ重畳するように形成された第２ヒンジシリンダと，
前記第１及び第２回転許容ノッチの重畳部分に位置するように前記ヒンジ軸の外周に取り付けられ，互いに連結された２枚の扉パネルの回転を同時に制限するストッパーと，
を備えることを特徴とする，請求項１に記載の半展開式折れ戸。
【請求項３】
前記広がり限定手段が，前記ヒンジ手段によって一端が連結された２枚の扉パネルの各ヒンジ端またはいずれか１枚の扉パネルのヒンジ端に突設されるストッパーから構成されることを特徴とする，請求項１に記載の半展開式折れ戸。
【請求項４】
前記広がり限定手段が，前記ヒンジ手段によって互いに連結された２枚の扉パネルの室内側，または室外側の少なくとも一方の自由端を互いに連結する所定の長さのフレキシブルワイヤまたはロープから構成されることを特徴とする，請求項１に記載の半展開式折れ戸。
【請求項５】
前記広がり限定手段が，前記ヒンジ手段によって互いに連結された２枚の扉パネルの室内側または室外側の少なくとも一方の自由端を互いに連結するシートから構成されることを特徴とする，請求項１に記載の半展開式折れ戸。
【請求項６】
前記広がり限定手段が，前記ヒンジ手段によって互いに連結された２枚の扉パネルの室外側自由端を互いに連結するシートと，前記ヒンジ手段によって互いに連結された２枚の扉パネルの室内側自由端を互いに連結するワイヤまたはロープとから構成されることを特徴とする，請求項１に記載の半展開式折れ戸。
【請求項７】
前記シートが，連続する多数の扉パネル対の自由端を全て連結する単一体から構成されることを特徴とする，請求項５または６に記載の半展開式折れ戸。
【請求項８】
前記シートが高張力の合成樹脂製防水シートから構成されることを特徴とする，請求項７に記載の半展開式折れ戸。
【発明の詳細な説明】
【技術分野】
【０００１】
本発明は，各種構造物の出入口の開閉に使用されるドアとなる半展開式折れ戸に関し，特に大型倉庫や飛行機格納庫などの大型構造物の出入口を開閉するに適した半展開式折れ戸に関する。
【背景技術】
【０００２】
一般に，大規模物流システムの貨物倉庫や，各種産業現場の物品保管倉庫，飛行機格納庫などの大型構造物は，大型の物品を取り扱うので，その出入口も非常に大きく構成され，この出入り口を開閉するためのドアも一般的に幅および高さが数ｍ〜数十ｍに至る超大型のものとなる。従って，大型構造物のドアは，通常数百ｋｇ〜数ｔｏｎに達する相当な重量物なので，円滑な開閉動作と共に，風力などの外力に対して充分な耐久性が要求される。
【０００３】
一方，ドアには，左右に押して開閉する引き戸，折り畳んだり広げたりして開閉する折れ戸と，一端を軸として回転させて開閉する自在ドア，及び巻き上げ・下げ動作によって開閉するシャッタが一般的に使用されている。
【０００４】
ところで，自在ドアは，その構造的特性上，相当の大きさと重量を有する大型構造物の出入門に適用するには困難である。このため，大型構造物の出入門には，引き戸，折れ戸またはシャッタが主に使用されており，これらのドアは，モータなどによって電動で作動することが一般的である。
【０００５】
上記の引き戸の例として，適正のサイズを有する多数のドア部材が重畳して互いにスライド可能に連結されることにより，はめ込み式（テレスコピック方式）で伸縮する格納庫用引き戸装置が開示されている（例えば，特許文献１参照）。他の引き戸の例として，適正のサイズを有する多数のドア部材が連続的にヒンジで連結されて格納庫の側壁内に対して屈折して進入するか，または引き出される引き戸が開示されている（例えば，特許文献２参照）。
【０００６】
また，上記の折れ戸の例として，適正のサイズを有する多数のパネルを連続的にヒンジで連結して各パネルをジグザグ状に折り畳んだり広げたりして開閉する折れ戸が開示されている（例えば，特許文献３参照）。さらに，上記のシャッタの例として，多数の小割板を順次ヒンジで連結して上下に移動させることにより，各小割板をジグザグ状に折り畳んだり広げたりして開閉する折り畳み式シャッタ装置が開示されている（例えば，特許文献４参照）。
【０００７】
【特許文献１】大韓民国特許公開第２００２−００２８５９６号明細書
【特許文献２】大韓民国実用新案登録第０２２７７８２号明細書
【特許文献３】欧州特許第１０８８９５９Ａ１号明細書
【特許文献４】大韓民国実用新案登録第０３１８０３７号明細書
【発明の開示】
【発明が解決しようとする課題】
【０００８】
しかしながら，上述した従来のドアは，閉じたときに扉の面が面一になるか，または同方向に並んで位置するので，ドアの剛性が全体的に材質の物性とその厚さに依存することになる。このため，従来の大型構造物のドアは，風力などの外力に対抗可能な剛性を確保するためには，相当厚く製作する必要があり，ドアの重量が重過ぎ，それを駆動するためのモータの容量も大きく，かつ消費電力が大きいという問題点があった。
【０００９】
また，従来の折れ戸は，閉じたときに各ドア部材が完全に展開されて面一になるので，ドアを開いたときにドア部材が折り畳まれるためには，比較的大きい力が要求される上に，折り畳み動作も円滑に行われることが困難であった。
【００１０】
そして，大型構造物の出入門として最も多く使用されるテレスコピック方式の引き戸の場合には，開口部が大きく，ドア部材の数量が多くなるほど，ドアの作動に必要な断面幅がドア部材の厚さに比例して増加するので，ドアの設置空間を大きく占有するという問題があった。
【００１１】
そこで，本発明は，従来のドアが有する上記問題点に鑑みてなされたものであり，本発明の目的は，軽量で且つ剛性にも優れる，新規かつ改良された半展開式折れ戸を提供することである。
【００１２】
本発明の他の目的は，小さい力でも容易に開閉することが可能な，新規かつ改良された半展開式折れ戸を提供することである。
【００１３】
本発明のさらに他の目的は，開口部の大きさまたはドア部材の数量に関係なく一定の断面幅の設置空間内で作動することが可能な，新規かつ改良された半展開式折れ戸を提供することである。
【課題を解決するための手段】
【００１４】
上記課題を解決するために，本発明のある観点によれば，所定の幅と長さを有する多数の扉パネルと，各扉パネルを，隣接する扉パネル同士が相対回転できるようにその幅方向に沿って連続的に連結し，各扉パネルがある一方の最末端扉パネルに対して順次重なって折り畳まれるようにするヒンジ手段と，扉パネルを広げたときに各扉パネルがジグザグ状の波形を成すよう，各扉パネルの広がり程度を所定の角度に制限する広がり限定手段とを含むことを特徴とする，半展開式折れ戸が提供される。
【００１５】
このとき，広がり限定手段は，扉パネルの一側端に設置されてヒンジ手段のヒンジ軸が挿入され，下端にその中心を軸として所定の角度範囲の第１回転許容ノッチを有する第１ヒンジシリンダと，扉パネルに連結される他の扉パネルの対応側端に設置されてヒンジ軸が挿入され，上端にその中心を軸として第１回転許容ノッチと同じ角度範囲の第２回転許容ノッチを有するが，この第２回転許容ノッチが第１回転許容ノッチと一定の角度範囲のみ重畳するように形成された第２ヒンジシリンダと，第１及び第２回転許容ノッチの重畳部分に位置するようにヒンジ軸の外周に取り付けられ，互いに連結された２枚の扉パネルの回転を同時に制限するストッパーとから構成されることとしてもよい。
【００１６】
また，本発明の他の好適な特徴によれば，広がり限定手段が，ヒンジ手段によって一端が連結された２枚の扉パネルの各ヒンジ端またはいずれか一枚の扉パネルのヒンジ端に突設されるストッパーから構成されることとしてもよい。
【００１７】
このような本発明のさらに他の好適な特徴によれば，広がり限定手段は，ヒンジ手段によって一端が互いに連結された２枚の扉パネルの自由端を互いに連結するフレキシブルワイヤまたはロープまたはシートから構成されることとしてもよい。
【００１８】
このような構成とすることにより，本発明は，扉を閉じたときに各扉パネルがジグザグ状の波形を成すので，同一物性の材料で平面型より扉の肉厚を薄くすることができるため，比較的軽量でありながらも大きい剛性を確保することができる。
【００１９】
また，各扉パネルが完全に展開されないため，小さい力でも容易に開閉することができ，ドアを開いたときに各ドア部材が円滑に折り畳まれるので，特に大型倉庫や飛行機格納庫などの大型構造物の出入門に適し，大型構造物の構造的安定性と信頼性の向上などに大きく寄与する。
【発明の効果】
【００２０】
以上詳述したように本発明によれば，ドアを閉じたときに各扉パネルがジグザグ状の波形を成すので，同一物性の材料で平面型より扉の肉厚を薄くすることができるため比較的軽量であり，かつ高い剛性を確保することができる。
【００２１】
また，各扉パネルが完全に展開されないため，小さい力でも容易に開閉することができるのは勿論，ドアを開いたときに各ドア部材が円滑に折り畳まれるので，特に大型倉庫や飛行機格納庫などの大型構造物の出入門または開閉用屋根などへの使用に適し，本発明の折れ戸が適用された大型構造物の構造的安定性と信頼性の向上などに大きく寄与するという優れた効果がある。
【発明を実施するための最良の形態】
【００２２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２３】
まず，本発明の第１の実施の形態に係る半展開式折れ戸の構成について，図面を使用しながら説明する。図１（ａ）は，本発明の第１の実施の形態に係る半展開式折れ戸を示す正面図であり，図１（ｂ）は，図１（ａ）の平面図である。また，図２（ａ）は，本実施の形態に係る半展開式折れ戸が折り畳まれた状態を抜粋して示す正面図であり，図２（ｂ）は，図２（ａ）の平面図である。さらに，図３は，本実施の形態に係る半展開式折れ戸の広がり限定手段を抜粋して示す分解斜視図である。
【００２４】
本実施の形態に係る半展開式折れ戸は，所定の幅と長さを有する複数の扉パネル１０と，これらの扉パネル１０を，隣接する扉パネル１０同士が相対回転できるようにその幅方向に沿って連続的に連結させて，各扉パネル１０が順次重なって折り畳まれるようにするヒンジ手段２０と，ドアを閉じたときに各扉パネル１０が略ジグザグ状の波形を成すよう，その回転範囲を限定する広がり限定手段３０とを備える。
【００２５】
扉パネル１０は，例えば金属板材または所定の形状の金属構造物からなり，一定の幅で長く形成されるスラット形状を有する。このような扉パネル１０の構造は，重量と強度などを考慮して適切に選択される。ヒンジ手段２０は，隣接する２枚の扉パネル１０の対応側端を相対回転可能に連結することが可能であれば，いずれの形状でも良い。例えば，互いに交番応力が働くように配置されるスリーブを一端に有し，２枚の扉パネル１０にそれぞれ固定される２つのヒンジブラケットと，これらのスリーブに共通的に挿入されるヒンジピンとからなる通常の蝶番を使用することもでき，図３に示すように，同一軸上に位置するように２枚の扉パネル１０の対応側端にそれぞれ溶接される第１及び第２ヒンジシリンダ２１，２２と，これらの第１及び第２ヒンジシリンダ２１，２２に共通的に挿入されるヒンジ軸２３とから構成することもできる。
【００２６】
一方，ヒンジ手段２０が２つのヒンジシリンダ２１，２２とヒンジ軸２３からなる場合にも，扉パネル１０の長さを考慮して，扉パネル１０の長さに沿って適正の間隔で複数箇所にヒンジ手段２０を設置することが好ましい。
【００２７】
次に，本実施の形態に係る半展開式折れ戸に備わる広がり限定手段３０の構成について，図面を使用しながら説明する。図３は，本実施の形態に係る半展開式折れ戸の広がり限定手段を抜粋して示す分解斜視図であり，図４は，図３の結合状態を示す側面図である。また，図５（ａ）は，図４のＶＩ−ＶＩ線に沿った折畳状態の断面図であり，図５（ｂ）は，図４のＶＩ−ＶＩ線に沿った展開状態の断面図である。さらに，図６（ａ）は，図４のＶＩＩ−ＶＩＩ線に沿った折畳状態の断面図であり，図６（ｂ）は，図４のＶＩＩ−ＶＩＩ線に沿った展開状態の断面図である。
【００２８】
広がり限定手段３０は，例えばヒンジ手段２０自体の回転角度を制限し，または一端がヒンジ手段２０によって連結された２枚の扉パネル１０の自由端をロープなどで連結して広がり角度を制限する方法を適用することができる。
【００２９】
まず，ヒンジ手段２０の回転角度を制限する構成として，図３から図６（ｂ）に示すように，ヒンジ手段２０の第１ヒンジシリンダ２１の下端部には，その中心を軸として所定の角度範囲の第１回転許容ノッチ３１が設けられ，第２ヒンジシリンダ２２の上端部には，その中心を軸として所定の角度範囲の第２回転許容ノッチ３２が設けられる。第１回転許容ノッチ３１と第２回転許容ノッチ３２は，同一の角度範囲で構成されるが，その中でも一定の角度範囲が互いに重畳する。
【００３０】
そして，ヒンジ軸２３の外周には，上述したように第１及び第２回転許容ノッチ３１，３２の重畳部位に位置して，両側端が第１及び第２回転許容ノッチ３１，３２の両内端に選択的に接触することにより２枚の扉パネル１０の回転を制限するストッパー３３が溶接などで付着される。
【００３１】
このようなストッパー３３は，第１及び第２ヒンジシリンダ２１，２２の第１及び第２回転許容ノッチ３１，３２にヒンジ軸２３を挿設した状態で，各回転許容ノッチ３１，３２によって露出されたヒンジ軸２３の外周に取り付けられる。
【００３２】
これにより，各回転許容ノッチ３１，３２の角度αから，これらの重畳角度βを除いた残りの回転許容ノッチ３１，３２の角度θずつのみ２枚の扉パネル１０が互いに反対方向に回転することにより，完全に展開された場合にも各扉パネル１０がジグザグ状の波形を構成する。
【００３３】
次に，２枚の扉パネル１０の回転角度を制限する他の広がり限定手段３０の構成について説明する。図７（ａ）は，本発明の第２の実施の形態に係る半展開式折れ戸の広がり限定手段を示す折畳状態の平面図であり，図７（ｂ）は，本実施の形態に係る半展開式折れ戸の広がり限定手段を示す展開状態の平面図である。図８（ａ）は，本実施の形態に係る半展開式折れ戸の広がり限定手段の変形例を示す折畳状態の平面図であり，（ｂ）は，同実施の形態に係る半展開式折れ戸の広がり限定手段の変形例を示す展開状態の平面図である。図７（ａ）から図８（ｂ）に示すように，２枚の扉パネル１０の一端を蝶番２０ａで連結し，いずれか１枚の扉パネル１０または２枚の扉パネル１０のヒンジ端に所定形状のストッパー３３ａ，３３ｂを溶接等で直接付着して構成することもできる。
【００３４】
このようなストッパー３３ａ，３３ｂは，扉パネル１０の高さに対応するように長い棒形状の単一体から構成することもでき，または適正の長さにして扉パネル１０の高さに沿って一定の間隔で配置される多数個から構成することもできる。
【００３５】
このような構成の実施例は，広がり限定手段３０の構造と設置が簡単であり，比較的小さいドアへの適用に適する。
【００３６】
次に，一端がヒンジ手段２０によって連結された２枚の扉パネル１０が広げられることを制限する構成について説明する。図９は，本発明の第３の実施の形態に係る半展開式折れ戸の広がり限定手段を抜粋して示す斜視図であり，図１０は，本実施の形態に係る半展開式折れ戸の広がり限定手段を示す展開状態の抜粋平面図であり，図１１は，本実施の形態に係る半展開式折れ戸の広がり限定手段を示す折畳状態の抜粋平面図である。図９から図１１に示すように，２枚の扉パネル１０の自由端を所定の長さのフレキシブルワイヤまたはロープ３４で連結することにより，２枚の扉パネル１０がロープ３４の長さに対応する角度だけ広げられるように構成される。
【００３７】
ロープ３４は，一端がヒンジ手段２０によって連結された２枚の扉パネル１０の自由端にリング３５をそれぞれ設置し，これらのリング３５にその両端が固定される。２枚の扉パネル１０が広げられる角度は，ロープ３４の長さによって決定され，このようなロープ３４は，扉パネル１０の長さに沿って適正の間隔で多数設置される。
【００３８】
また，ロープ３４は，室内側または室外側に位置する全ての扉パネル１０の隣接する両方の自由端に設置することもでき，図１２に示すように，室内側または室外側のいずれか一方の自由端にのみ設置することもできる。
【００３９】
図１３は，本発明の第４の実施の形態に係る半展開式折れ戸の広がり限定手段を概略的に示す抜粋斜視図である。本実施の形態では，前述したワイヤまたはロープ３４の代りに，シート３６により，一端がヒンジで連結された２枚の扉パネル１０の自由端の広がり程度を拘束する構成が示されている。このようなシート３６は，前述した構成のロープ３４の如く各扉パネル１０対の自由端のみを個別的に連結するように構成することもできるが，好ましくは図示したように１枚のシート３６が連続する全ての扉パネル１０対の自由端を同時に一定の間隔で連結してその広がり程度を制限するように構成する。
【００４０】
この場合，前述したロープ３４に比べて扉の外観をより向上させることができるうえ，雨水が倉庫などの構造物内に浸透することも効果的に防止することができる。このため，シート３６は，防水機能を有する高張力の合成樹脂シートからなることが好ましい。
【００４１】
このようなシート３６も，別途に図示してはいないが，ドアの室内側または室外側の自由端のみを適正の間隔で連結するように構成することができる。
【００４２】
図１４は，本発明の第５の実施の形態に係る半展開式折れ戸の広がり限定手段を概略的に示す抜粋斜視図であり，図１５は，本実施の形態に係る半展開式折れ戸の広がり限定手段を概略的に示す平面図である。本実施の形態では，前述したロープ３４とシート３６を共に使用して，一端がヒンジで連結された２枚の扉パネル１０の自由端の広がり程度を制限する構成となっている。この際，室内側には，ロープ３４が設置され，室外側には，シート３６が設置されるが，これはドアの外観を考慮した構成である。
【００４３】
一方，このような本発明の半展開式折れ戸において，各扉パネル１０の広がり角θは，ドアの剛性と広がり効果を左右する重要な要素なので，これについて以下で詳細に説明する。
【００４４】
図１６は，本発明に係る半展開式折れ戸が荷重に対して抵抗する状態を説明するための概念図である。図１６において，例えばドアに作用する風力を均一分布荷重で表わすと，ヒンジ手段２０で連結された一対の扉パネル１０に作用する外力の和はＰ＝ｗ×Ｌになり，これは１対の扉パネル１０に作用する耐力ＲＰと同一であり，耐力ＲＰ＝２×ＲＤ×ｃｏｓθになる。ここで，Ｐは，外力の合力，ｗは，単位面積当たり作用する荷重，Ｌは，一端がヒンジで連結された２枚の扉パネル１０の自由端間の長さ，ＲＰは，２枚の扉パネル１０が外力に対抗する耐力の合力，ＲＤは，各扉パネル１０が外力に対抗する耐力，θは，各扉パネル１０の広がり角を示す。
【００４５】
従って，外力に抵抗する効果はｃｏｓθに比例するので，扉パネル１０の広がり角θが小さいほど高いが，扉パネル１０が広がる効果は，ｓｉｎθに比例するので，扉パネル１０の広がり角θが大きいほど有利である。剛性を高めるために広がり角θを小さくすると，広がり効果が減って扉パネル１０の数量があまり増加し，逆に広がり効果を高めるために広がり角θを大きくすると，扉パネル１０の数量が減少する代わりに，剛性がそれだけ弱くなる。よって，各扉パネル１０の広がり角θは，４５°に設定することが最も好ましい。
【００４６】
このような構造的特徴を有する本発明に係る半展開式折れ戸は，別途に図示してはいないが，扉パネル１０の上下両端の中間にローラーを取り付け，ガイドレールに沿って案内されながら各扉パネル１０が広げられたり折り畳まれたりすることにより開閉される。
【００４７】
この際，各扉パネル１０は，完全に展開されず所定の角度だけ広がり，ドアを閉じた場合にも各扉パネル１０が略ジグザグ状の波形を成す。従って，ドアを閉じたときに各扉パネルが面一になる従来のものに比べて，ドアの全体的な剛性が大幅増加した。これにより，扉パネル１０の肉厚を薄くしながらも，外力に抵抗可能な十分な剛性を保つことができる。
【００４８】
また，各扉パネル１０が完全に展開された状態でも，各扉パネル１０は，所定の角度で折り曲げられているので，小さい力でも容易に折り畳んで開くことが可能となり，さらに開閉動作も円滑に行うことができる。
【００４９】
しかも，開口部のサイズまたは扉パネル１０の数量に関係なく，常に扉パネル１０の幅に対応する一定の断面幅の設置空間のみが要求されるので，出入門の設置面積も最小化され，美麗な外観を構成することができる。
【００５０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５１】
本発明は，各種構造物の出入口の開閉に使用されるドアに適用可能であり，特に大型倉庫や飛行機格納庫などの大型構造物の出入口を開閉する半展開式折れ戸に適用可能である。
【図面の簡単な説明】
【００５２】
【図１】（ａ）は，本発明の第１の実施の形態に係る半展開式折れ戸を示す正面図であり，（ｂ）は，図１の平面図である。
【図２】（ａ）は，同実施の形態に係る半展開式折れ戸が折り畳まれた状態を抜粋して示す正面図であり，（ｂ）は，図２（ａ）の平面図である。
【図３】同実施の形態に係る半展開式折れ戸の広がり限定手段を抜粋して示す分解斜視図である。
【図４】図３の結合状態を示す側面図である。
【図５】（ａ）は，図４のＶＩ−ＶＩ線に沿った折畳状態の断面図であり，（ｂ）は，図３のＶＩ−ＶＩ線に沿った展開状態の断面図である。
【図６】（ａ）は，図４のＶＩＩ−ＶＩＩ線に沿った折畳状態の断面図であり，（ｂ）は，図３のＶＩＩ−ＶＩＩ線に沿った展開状態の断面図である。
【図７】（ａ）は，本発明の第２の実施の形態に係る半展開式折れ戸の広がり限定手段を示す折畳状態の平面図であり，（ｂ）は，同実施の形態に係る半展開式広がり限定手段を示す展開状態の平面図である。
【図８】（ａ）は，同実施の形態に係る広がり限定手段の変形例を示す折畳状態の平面図であり，（ｂ）は，同実施の形態に係る広がり限定手段の変形例を示す展開状態の平面図である。
【図９】本発明の第３の実施の形態に係る半展開式折れ戸の広がり限定手段を抜粋して示す斜視図である。
【図１０】同実施の形態に係る広がり限定手段を示す展開状態の抜粋平面図である。
【図１１】同実施の形態に係る広がり限定手段を示す折畳状態の抜粋平面図である。
【図１２】同実施の形態に係る広がり限定手段の変形例を概略的に示す抜粋平面図である。
【図１３】本発明の第４の実施の形態に係る半展開式折れ戸の広がり限定手段を概略的に示す抜粋斜視図である。
【図１４】本発明の第５の実施の形態に係る半展開式折れ戸の広がり限定手段を概略的に示す抜粋斜視図である。
【図１５】同実施の形態に係る半展開式折れ戸の広がり限定手段を概略的に示す平面図である。
【図１６】本発明に係る半展開式折れ戸が荷重に対して抵抗する状態を説明するための概念図である。
【符号の説明】
【００５３】
１０    扉パネル
２０    ヒンジ手段
２１    第１ヒンジシリンダ
２２    第２ヒンジシリンダ
３１    第１回転許容ノッチ
３２    第２回転許容ノッチ
３３，３３ａ，３３ｂ    ストッパー
３４    ロープ
３５    リング
３６    シート
θ    扉パネルの広がり角
【図１】
2005048573.tif 000003
【図２】
2005048573.tif 000004
【図３】
2005048573.tif 000005
【図４】
2005048573.tif 000006
【図５】
2005048573.tif 000007
【図６】
2005048573.tif 000008
【図７】
2005048573.tif 000009
【図８】
2005048573.tif 000010
【図９】
2005048573.tif 000011
【図１０】
2005048573.tif 000012
【図１１】
2005048573.tif 000013
【図１２】
2005048573.tif 000014
【図１３】
2005048573.tif 000015
【図１４】
2005048573.tif 000016
【図１５】
2005048573.tif 000017
【図１６】
2005048573.tif 000018